(57)【要約】【課題】本発明は、導体パターンの厚みが厚くなっても、ショートが発生する可能性を低減できるコイル部品を提供することを目的とするものである。【解決手段】本発明のコイル部品は、絶縁層と１１ａ、前記絶縁層１１ａに積層され、渦巻状に形成された導体パターンからなるコイル導体１４ａ、１５ａとを備え、前記導体パターンの最内周および最外周における前記導体パターン同士の間隔ｗ１を、前記導体パターンの他の部分における前記導体パターン同士の間隔ｗ２よりも広くした構成としたものである。【選択図】図３
2017139368.tif 000002
【特許請求の範囲】
【請求項１】
絶縁層と、前記絶縁層に積層され、渦巻状に形成された導体パターンからなるコイル導体とを備え、前記導体パターンの最内周、最外周のうち少なくとも一方における隣り合う前記導体パターン同士の間隔を、前記導体パターンの他の部分における前記導体パターン同士の間隔よりも広くしたコイル部品。
【請求項２】
絶縁層と、前記絶縁層に積層され、渦巻状に形成された導体パターンからなるコイル導体とを備え、前記導体パターンを直線部とＲ部とで構成し、前記Ｒ部におる隣り合う前記導体パターン同士の間隔を、前記直線部における前記導体パターン同士の間隔よりも広くしたコイル部品。
【請求項３】
絶縁層と、前記絶縁層に積層され、渦巻状に形成された導体パターンからなるコイル導体とを備え、前記導体パターンの最内周、最外周のうち少なくとも一方における前記導体パターンの線幅を、前記導体パターンの他の部分における前記導体パターンの線幅よりも細くしたコイル部品。
【発明の詳細な説明】
【技術分野】
【０００１】
本発明は、デジタル機器やＡＶ機器、情報通信端末等の各種電子機器に使用されるコモンモードノイズフィルタなどのコイル部品に関するものである。
【背景技術】
【０００２】
従来のこの種のコイル部品は、図６に示すように、絶縁層１に設けられたコイル導体２を有し、このコイル導体２は、コイル導体２を形成する導体パターン間の間隔が等しい渦巻状に形成されていた。
【０００３】
なお、この出願の発明に関連する先行技術文献としては、例えば、特許文献１が知られている。
【先行技術文献】
【特許文献】
【０００４】
【特許文献１】特開２００７−１２３４２４号公報
【発明の概要】
【発明が解決しようとする課題】
【０００５】
上記した従来のコイル部品においては、直流抵抗値を低減させるために導体パターンの厚みを厚くする場合、焼成時に応力によって、隣り合う導体パターン間でショートする可能性があるという課題を有していた。
【０００６】
特に、最外周の導体パターンの外側、最内周の導体パターンの内側には、他の導体パターンが存在しないため、最外周、最内周の導体パターンは応力を受け易く、ショートが発生する可能性が高まる。
【０００７】
本発明は上記従来の課題を解決するもので、導体パターンの厚みが厚くなっても、ショートが発生する可能性を低減できるコイル部品を提供することを目的とするものである。
【課題を解決するための手段】
【０００８】
上記目的を解決するために本発明は、絶縁層と、前記絶縁層に積層され、渦巻状に形成された導体パターンからなるコイル導体とを備え、前記導体パターンの最内周および最外周における隣り合う前記導体パターン同士の間隔を、前記導体パターンの他の部分における前記導体パターン同士の間隔よりも広くした。
【発明の効果】
【０００９】
本発明のコイル部品は、導体パターンの最内周および最外周における導体パターン同士の間隔を広くしているため、導体パターンの厚みが厚くなっても、ショートが発生する可能性を低減できるという効果を奏するものである。
【図面の簡単な説明】
【００１０】
【図１】本発明の一実施の形態におけるコイル部品の一例のコモンモードノイズフィルタの断面図
【図２】同コモンモードノイズフィルタの斜視図
【図３】同コモンモードノイズフィルタの主要部の上面図
【図４】同コモンモードノイズフィルタの他の例の主要部の上面図
【図５】同コモンモードノイズフィルタの他の例の主要部の上面図
【図６】従来のコモンモードノイズフィルタの主要部の上面図
【発明を実施するための形態】
【００１１】
図１は本発明に係るコイル部品の一実施の形態としてのコモンモードノイズフィルタを示す断面図、図２は同コモンモードノイズフィルタの斜視図、図３は同コモンモードノイズフィルタの主要部の上面図である。
【００１２】
本発明の一実施の形態におけるコイル部品は、図１に示すように、第１の非磁性体部１１と、第１の非磁性体部１１を挟み込む第１の磁性体部１２、第２の磁性体部１３と、第１の非磁性体部１１内に埋設されＡｇで構成された第１のコイル１４、第２のコイル１５と、第１の磁性体部１２、第２の磁性体部１３を挟み込んでコモンモードノイズフィルタの最も外側に位置する第２の非磁性体部１６とを備えている。
【００１３】
上記構成において、前記第１の非磁性体部１１は、複数の絶縁層１１ａを積層することによって形成され、また、この第１の非磁性体部１１は、ガラスとＳｉＯ2で構成されたフィラーとを含有している。
【００１４】
また、前記第１の磁性体部１２は、第１の非磁性体部１１の下面に積層され、シート状に構成されたＮｉ−Ｃｕ−Ｚｎフェライト等の磁性材料からなる複数の磁性体層で構成されている。
【００１５】
そして、前記第２の磁性体部１３は、第１の非磁性体部１１の上面に積層され、すなわち、第１の非磁性体部１１を第１、第２の磁性体部１２、１３で挟み込んだ構成とし、そして、第２の磁性体部１３も、シート状に構成されたＮｉ−Ｃｕ−Ｚｎフェライト等の磁性材料からなる複数の磁性体層で構成されている。
【００１６】
さらに、前記第１のコイル１４、第２のコイル１５は、第１の非磁性体部１１内に埋設され、それぞれ渦巻状の第１、第２のコイル導体１４ａ、１５ａで形成されている。また、第１、第２のコイル導体１４ａ、１５ａは、それぞれ絶縁層１１ａにＡｇを渦巻状にめっきまたは印刷することにより形成されている。そして、第１のコイル１４と第２のコイル１５が磁気結合するようになっている。
【００１７】
そしてまた、前記第２の非磁性体部１６は、第１の磁性体部１２の下面、および第２の磁性体部１３の上面に積層されている、すなわち、第１の磁性体部１２、第２の磁性体部１３を挟み込んでコモンモードノイズフィルタの最も外側に位置する。なお、第２の非磁性体部１６は、第１の磁性体部１２の下面、または第２の磁性体部１３の上面のうち一方のみに設けるようにしてもよい。また、この第２の非磁性体部１６は、複数の非磁性体層を積層することによって形成され、ガラスとＳｉＯ2で構成されたフィラーとを含有している。
【００１８】
そして、上記した構成により、図２に示すような積層体１７が形成される。また、この積層体１７の両端面には、４つの外部電極１８が設けられ、そしてこの外部電極１８はそれぞれ第１のコイル１４、第２のコイル１５の各両端部と接続されている。さらに、外部電極１８は、積層体１７の端面に樹脂と銀からなるペーストを印刷することにより形成され、またこれらの表面にめっきによってニッケルめっき層を形成するとともに、このニッケルめっき層の表面にめっきによってすずやはんだ等の低融点金属めっき層を形成する。
【００１９】
また、第１、第２のコイル導体１４ａ、１５ａは、図３に示すように、絶縁層１１ａ上に渦巻状に形成された導体パターンで構成されている。なお、図３〜図５は、説明を簡単にするために、絶縁層１１ａおよび第１のコイル導体１４ａの導体パターンのみの上面図を示す。
【００２０】
この導体パターンの最内周および最外周における導体パターン同士の間隔ｗ１は、導体パターンの他の部分における導体パターン同士の間隔ｗ２よりも広くなっている。また、導体パターンは、直線部１９ａとＲ部１９ｂとで構成されている。
【００２１】
ここで、最内周の導体パターン同士の間隔ｗ１は、最も内側に存在する導体パターンと、それと隣り合う導体パターンとの距離を示し、最外周の導体パターン同士の間隔ｗ１は、最も外側に存在する導体パターンと、それと隣り合う導体パターンとの距離を示す。
【００２２】
さらに、ここで言う最内周の導体パターンは、第１、第２のコイル導体１４ａ、１５ａ同士をそれぞれ接続する場合のビア電極１４ｃ、１５ｃ近傍を除き、そして、最外周の導体パターンは、外部電極１８と第１、第２のコイル導体１４ａ、１５ａをそれぞれ接続する引出用電極１４ｄ、１５ｄ近傍を除く。
【００２３】
上記したように本発明の一実施の形態におけるコイル部品においては、導体パターンの最内周および最外周における導体パターン同士の間隔を広くしているため、導体パターンの厚みが厚くなっても、ショートが発生する可能性を低減できるという効果が得られるものである。
【００２４】
すなわち、焼成時の応力を最も多く受け、その結果、ショートが発生する可能性が高い最外周、最内周における導体パターンについて、その導体パターン間隔を広くすることによって、ショートが発生する可能性を低減できる。また、最外周、最内周のうちいずれか一方でも導体パターン間隔を広くすれば、上記の効果は得られる。
【００２５】
なお、最内周および最外周における導体パターン同士の間隔ｗ１は、他の部分における導体パターン同士の間隔ｗ２の１．２倍〜２．０倍とするのが好ましい。
【００２６】
さらに、図４に示すように、導体パターンは、最も応力を受け易いＲ部１９ｂにおける導体パターン同士の間隔ｗ３を、直線部１９ａにおける導体パターン同士の間隔ｗ４よりも広くしてもよい。
【００２７】
図３、図４においては、第１、第２のコイル導体１４ａ、１５ａの導体パターンの線幅は、どの部分でも略同一である。
【００２８】
そして、上記の第１、第２のコイル導体１４ａ、１５ａをめっきまたは印刷で形成するとき、レジストを使用するが、最内周および最外周においてはレジスト端部がダレて線幅が大きくなる可能性があるため、線幅が所定の幅になるように、あらかじめ最内周、最外周での線幅が細くなるようにこの部分のレジスト幅を大きくしてもよい。
【００２９】
また、図５に示すように、最外周、最内周の導体パターンの線幅を、他の部分の導体パターンの線幅より細くしても、同様に、ショートが発生する可能性を低減できる。最外周、最内周の導体パターンが受ける応力を低減できるためである。
【００３０】
なお、上記の一実施の形態では、同一絶縁層１１ａにコイル導体１４、１５を１つだけ有するコモンモードノイズフィルタについて説明したが、本発明は、同一絶縁層１１ａに複数のコイル導体１４、１５が並設されているアレイタイプのコモンモードノイズフィルタにも適用可能である。さらに、本発明は、そのようなコモンモードノイズフィルタ以外のコイル部品、例えば同一絶縁層１１ａに２本の導体パターンを螺旋状に配置して１つのスパイラル部を形成してなるコイル部品等にも適用可能である。
【産業上の利用可能性】
【００３１】
本発明に係るコイル部品は、導体パターンの厚みが厚く、導体パターンのピッチが狭くなっても、ショートが発生する可能性を低減できるという効果を有するものであり、特にデジタル機器やＡＶ機器、情報通信端末等に使用される小形で薄型のコモンモードノイズフィルタ等のコイル部品において有用となるものである。
【符号の説明】
【００３２】
１１ａ  絶縁層
１４ａ、１５ａ  第１、第２のコイル導体
【図１】
2017139368.tif 000003
【図２】
2017139368.tif 000004
【図３】
2017139368.tif 000005
【図４】
2017139368.tif 000006
【図５】
2017139368.tif 000007
【図６】
2017139368.tif 000008